(57)【要約】画像と次の画像を表示する電気泳動表示パネル（１）は、各画素（２）について、極端又は中間である各画像様相を画素に与える画像値を有し、次に、各画像間様相を画素に与える画像間値を有し、次に、次の画像値を有するよう電位差を制御可能な駆動手段（１００）を有する。表示パネルが、画素に、一般的に、比較的あまり目立たない画像間様相を与えることを可能にするために、駆動手段は、各画素について、画像間様相としての各推定画像様相を画素に与えるよう画像間値として推定電位差を制御可能である。
2006502431.tif 000002
【特許請求の範囲】
【請求項１】
画像と次の画像を表示する電気泳動表示パネルであって、
第１の基板及び対向する第２の基板と、
前記基板間の電気泳動媒体と、
複数の画素と、
電位差を受ける、各画素に関連付けられる第１の電極及び第２の電極と、
駆動手段と、
を有し、
前記電気泳動媒体は、第１の極端の様相、第２の極端の様相、及び前記第１の極端の様相と前記第２の極端の様相との間の中間様相のうちの１つである様相を各画素に与えることが可能であり、
前記駆動手段は、各画素について、表示される前記画像に依存して前記様相のうちの１つである各画像様相を前記画素に与える画像値を有し、次に、各画像間様相を前記画素に与える画像間値を有し、次に、表示される前記次の画像に依存して前記様相のうちの１つである各次の画像様相を前記画素に与える次の画像値を有するよう前記電位差を制御可能であり、
前記駆動手段は、各画素について、前記画像間様相としての各推定画像様相を前記画素に与える前記画像間値としての推定電位差を制御可能である、電気泳動表示パネル。
【請求項２】
前記各推定画像様相は、前記次の画像様相に関連付けられる前記極端の様相のうちの１つと実質的に等しいことを特徴とする請求項１記載の電気泳動表示パネル。
【請求項３】
各画素の前記推定画像様相は、
前記各次の画像様相が、前記第２の極端の様相より前記第１の極端の様相に光学的に近い場合は、前記第１の極端の様相に実質的に等しく、
前記各次の画像様相が、前記第１の極端の様相より前記第２の極端の様相に光学的に近い場合は、前記第２の極端の様相に実質的に等しいことを特徴とする請求項２記載の電気泳動表示パネル。
【請求項４】
前記駆動手段は更に、各画素について、符号が交互に変わり、前記次の画像値程度の絶対値を有する所定値のシーケンスを有するよう前記次の画像を表示するために前記電位差を制御し、また、前記次の画像値を有する前に、前記シーケンスにおける各所定値を、前記次の画像値が適用される継続時間のうちの最大継続時間より少なくとも２倍小さい継続時間の間適用することが可能であることを特徴とする請求項３記載の電気泳動表示パネル。
【請求項５】
前記所定値のシーケンスは、前記次の画像値の符号と等しい符号を有する最後の所定値を有することを特徴とする請求項４記載の電気泳動表示パネル。
【発明の詳細な説明】
【技術分野】
【０００１】
本発明は、１つの画像と次の画像を表示する電気泳動表示パネルに係る。
【背景技術】
【０００２】
冒頭段落に記載したようなタイプの電気泳動表示パネルの実施例は、事前公開無しの欧州特許出願０１２００９５２．８（ＰＨＮＬ０１０６１）に記載される。
【０００３】
記載される電気泳動表示パネルでは、各画素の様相は、各画素の電極が受ける電位差と、各電位差の履歴とに依存する。電位差の画像間値（inter-picture  value）の結果、各画素は、極端の様相のうちの１つと実質的に等しく、履歴への依存を減少する画像間様相（inter-picture  appearance）を有する。全画素が、実質的に同じ画像間値を有するので、画素は、次の画像が表示される前に、互いに実質的に等しい画像間様相を有する。不都合なことに、画像間様相を有する画素は、これは一般的であるが、画像と次の画像のうち１つが表示されるときに相当数の画素が中間様相を有する場合に、観察者に非常によく見えてしまう。画像間様相を有する画素は、画素が短くされた時間間隔の間に画像間様相を有するならば、あまり目立たなくなる。このことは、画素に画像間様相を与える電位差を増加することにより実現可能である。しかし、電気泳動表示パネルは、例えば、１５ボルトである比較的低い電位差で動作することを意図するので、電位差を増加することは望ましくない。
【０００４】
画像間様相を有する画素が、一般的に、比較的かなり見えることが上述の文献に記載される表示パネルの欠点である。
【発明の開示】
【発明が解決しようとする課題】
【０００５】
本発明は、画素の画像間様相の可視性を低減可能である冒頭段落に記載したような種類の表示パネルを提供することを目的とする。
【課題を解決するための手段】
【０００６】
この目的を達成するために、本発明の表示パネルを請求項１に記載する。
【０００７】
本発明は、表示パネルが、画像間様相を有する画素の故に、次の画像の推定を表示可能であるならば、観察者は、１つの画像から次の画像への、次の画像の推定を介した比較的滑らかな過渡を知覚するという見識に基づいている。表示パネルは、駆動手段が、各画素について、画像間様相としての各推定画像様相を画素に与えるよう画像間値として推定電位差を制御可能であるので、次の画像の推定を表示することが可能である。その結果、表示パネルは、画素の画像間様相の可視性が低減されることが可能である。
【０００８】
１つの実施例では、各推定画像様相は、次の画像様相に関連付けられる極端の様相のうちの１つと実質的に等しい。その結果、画素の様相の、電位差の履歴への依存は、低減される。
【０００９】
実施例の１つの変形では、各画素の推定画像様相は、各次の画像様相が、第２の極端の様相より第１の極端の様相に光学的に近い場合は、第１の極端の様相に、各次の画像様相が、第１の極端の様相より第２の極端の様相に光学的に近い場合は、第２の極端の様相に実質的に等しい。
【００１０】
例えば、各画素の第１の極端の様相及び第２の極端の様相が、それぞれ、白及び黒である場合、画素は、各次の画像様相が、黒より白に光学的に近い場合は、白に実質的に等しい各画像間様相が与えられ、各次の画像様相が、白より黒に光学的に近い場合は、黒に実質的に等しい各画像間様相が与えられる。その結果、次の画像の推定は、実質的に黒及び実質的に白の画素によってのみ表示され、それにより、次の画像の推定となる。
【００１１】
実施例の別の変形では、駆動手段は更に、各画素について、符号が交互に変わり、次の画像値程度の絶対値を有する所定値のシーケンスを有するよう次の画像を表示するために電位差を制御し、また、次の画像値を有する前に、シーケンスにおける各所定値を、次の画像値が適用される継続時間のうちの最大継続時間より少なくとも２倍小さい継続時間の間適用することが可能である。１つの利点として、所定値のシーケンスは、画素の様相の、各電位差の履歴への依存を低減する。このような所定値のシーケンスは、事前公開無しの欧州特許出願０２０７７０１７．８（ＰＨＮＬ０２０４４１）に記載される。実施例の好適な変形では、所定値のシーケンスは、次の画像値の符号と等しい符号を有する最後の所定値を有する。１つの利点として、この表示パネルは、電力消費量がより低く、次の画像値の継続時間が小さい。
【発明を実施するための最良の形態】
【００１２】
本発明の表示パネルの上述した面及び他の面を、図面を参照しながら更に説明する。
【００１３】
図面中、対応する部分は、同じ参照番号を付している。
【００１４】
図１及び２は、第２の基板９と複数の画素２を有する表示パネル１の実施例を示す。画素２は、２次元構造で略直線に沿って配置される。画素の２の、例えば、ハニカム配置といった他の配置も可能である。表示パネル１は、第１の基板８と対向する第２の基板９を有する。電気泳動媒体５が、基板８、９間にある。第１の電極３及び第２の電極４が、各画素２に関連付けられる。電極３、４は、電位差を受けることが可能である。図２では、第１の基板８は、各画素２に対して第１の電極３を有し、第２の基板９は、各画素２に対して第２の電極４を有する。電気泳動媒体５は、各画素２に、１つの様相を与えることが可能であり、この様相は、第１の極端の様相と、第２の極端の様相と、第１の極端の様相と第２の極端の様相の間の中間様相のうちの１つである。電気泳動媒体５自体は、米国特許第５，９６１，８０４号、第６，１２０，８３９号、及び第６，１３０，７７４号から公知であり、例えば、Ｅ  Ｉｎｋ社から入手可能である。一例として、電気泳動媒体５は、白色流体内に負に帯電された黒粒子６を有する。１５ボルトの電位差により、帯電粒子６が第１の電極３付近に位置付けられると、画素２は、第１の極端の様相、即ち、白を有する。反対の極性の電位差、即ち、−１５ボルトの電位差により、帯電粒子６が第２の電極４の付近に位置付けられると、画素２は、第２の極端の様相、即ち、黒を有する。例えば、明るい灰色及び暗い灰色である中間様相は、白と黒との間の中間調である。駆動手段１００は、各画素２について、各画像様相を画素２に与える画像値を有し、次に、各画像間様相を画素２に与える画像間値を有し、次に、各次の画像様相を画素２に与える次の画像値を有するよう電位差を制御することが可能である。更に、駆動手段１００は、各画素２について、画像間様相としての各推定画像様相を画素２に与えるよう画像間値として推定電位差を制御することも可能である。各推定画像様相は、次の画像様相に関連付けられる極端の様相のうちの１つと実質的に等しいことが好適である。各画像様相は、表示されるべき画像に依存して上述した様相のうちの１つであり、各次の画像様相は、表示されるべき次の画像に依存して上述した様相のうちの１つである。
【００１５】
この実施例の変形では、各画素２の推定画像様相は、各次の画像様相が、第２の極端の様相よりも第１の極端の様相に光学的に近い場合は、第１の極端の様相と実質的に等しく、第１の極端の様相よりも第２の極端の様相に光学的に近い場合は、第２の極端の様相と実質的に等しい。光学的に近いということは、例えば、輝度又は明るさに関連し得、例えば、線形スケール又はガンマ補正を有するスケール上で決定され得る。次の画像情報の最上位ビットを用いて、どちらの極端の様相が光学的に近いのか判断してもよい。一例として、画素２の画像様相は、明るい灰色であり、画素２の次の画像様相は、暗い灰色であるとする。この例について、画素２の電位差を、図３に時間の関数として示す。画像の時間ｔ１までの表示について、画素２の画像様相は、ＬＧと示す明るい灰色である。例えば、２００ｍｓを表す時間ｔ１と時間ｔ２の間の１５ボルトの推定電位差の結果、推定画像様相は、ＳＢと示す、実質的に黒である。これは、次の画像様相は、白よりも黒に光学的に近い、ＤＧと示す暗い灰色だからである。この様相は、０ボルトの推定電位差により、時間ｔ２と時間ｔ３の間は、実質的に黒に維持される。時間ｔ２と時間ｔ３の間の時間間隔はなくてもよい。例えば、１００ｍｓを表す時間ｔ３と時間ｔ４の間は、電位差は、−１５ボルトの次の画像値を有する。その結果、画素２の様相は、暗い灰色である。この様相は、後続の画像値は、０ボルトであるので、時間ｔ４と時間ｔ５の間、暗い灰色に維持される。別の例では、画素２の画像様相と次の画像様相は共に、明るい灰色である。この例について、画素２の電位差を、図４に時間の関数として示す。画像の時間ｔ１までの表示について、画素２の画像様相は、明るい灰色である。時間ｔ１と時間ｔ２の間の−１５ボルトの推定電位差の結果、推定画像様相は、ＳＷと示す、実質的に白である。これは、次の画像様相は、黒よりも白に光学的に近い明るい灰色だからである。様相は、０ボルトの推定電位差により、時間ｔ２と時間ｔ３の間は、実質的に白に維持される。時間ｔ３と時間ｔ４の間は、電位差は、１５ボルトの次の画像値を有する。その結果、画素２の様相は、明るい灰色である。この様相は、後続の画像電位差は、０ボルトであるので、時間ｔ４と時間ｔ５の間、明るい灰色に維持される。
【００１６】
この実施例の１つの変形において、駆動手段１００は更に、各画素２について、所定値のシーケンスを有するよう次の画像を表示するための電位差を制御し、また、次の画像値を有する前に、そのシーケンスにおける各所定値を、次の画像値が適用される継続時間のうちの最大継続時間より少なくとも２倍小さい継続時間の間適用することが可能である。シーケンスにおける所定値は、符号が交互に変わり、次の画像値程度の絶対値を有する。一例として、画素２の画像様相は、明るい灰色であり、画素２の次の画像様相は、暗い灰色であるとする。この例について、画素２の電位差を、図５に時間の関数として示す。時間ｔまで画素２の画像様相は、明るい灰色である。時間ｔ１と時間ｔ２の間の１５ボルトの推定電位差の結果、推定画像様相は、実質的に黒であり、０ボルトの推定電位差により、時間ｔ２及び時間ｔ３の間は、実質的に黒に維持される。この例では、次の画像を表示するための電位差は、４つの所定値からなるシーケンスを有し、順次、１５ボルト、−１５ボルト、１５ボルト、及び−１５ボルトが、時間ｔ３と時間ｔ４の間に適用される。各所定値は、例えば、２０ｍｓの間適用される。時間ｔ４と時間ｔ５の間の時間間隔は、無視可能な程に小さい。次に、例えば、８０ｍｓを表す時間ｔ５と時間ｔ６の間は、電位差の次の画像値は、−１５ボルトである。その結果、画素２の様相は、暗い灰色である。図５に示すように、最後の所定値と、次の画像値は、等しい符号を有することが好適である。この様相は、０ボルトの次の画像電位差により、時間ｔ６と時間ｔ７の間は、実質的に暗い灰色に維持される。
【００１７】
本発明の範囲において、例えば、色付き画素を有する表示パネルといった多くの変形が、当業者には可能であることは明らかであろう。
【図面の簡単な説明】
【００１８】
【図１】表示パネルの実施例を示す前面図である。
【図２】図１の線ＩＩ−ＩＩに沿っての横断面を示す図である。
【図３】実施例の１つの変形において、画素について電位差を時間の関数として示すグラフである。
【図４】図３の実施例の変形において、画素について電位差を時間の関数として示すグラフである。
【図５】実施例の更なる変形において、画素について電位差を時間の関数として示すグラフである。
【図１】
2006502431.tif 000003
【図２】
2006502431.tif 000004
【図３】
2006502431.tif 000005
【図４】
2006502431.tif 000006
【図５】
2006502431.tif 000007
【国際調査報告】
2006502431.tif 000008
2006502431.tif 000009